(57)【要約】      （修正有）【課題】ミラーカードやキースイッチを使用せずに、筐体からＨＤＤユニットを引き抜いたときに電源を自動的にＯＦＦする。【解決手段】ディスクドライブ装置７は、複数のＨＤＤユニット１を筺体６に挿入し、該筐体６に設けた固定部２２にＨＤＤユニット１に設けた被固定部１１を重ね合わせて、両者を摘みネジ１２で螺着することにより上記複数のＨＤＤユニット１を筐体６に取り付け、これら複数のＨＤＤユニット１によりミラーリングを行う。筐体６にＨＤＤユニット１の電源用の電源スイッチ３１を設け、ＨＤＤユニット１に上記電源スイッチ３１を操作するスイッチ押圧ピン１３を設けた。ＨＤＤユニット１を筺体６に挿入したときにスイッチ押圧ピン１３で電源スイッチ３１をＯＮし、筐体６を引き抜いたときに電源スイッチの押圧を解除する。【選択図】図１
2009009666.tif 000002
【特許請求の範囲】
【請求項１】
複数のハードディスクドライブユニットを筺体に挿入し、該筐体に設けた固定部に上記ハードディスクドライブユニットに設けた被固定部を重ね合わせて、これら固定部と被固定部を摘みネジで固定し、ソフトミラー方式で上記複数のハードディスクドライブユニットによりミラーリングを行うディスクドライブ装置において、
上記筐体に押された状態でＯＮ状態となる電源スイッチを設け、ハードディスクドライブユニットに、上記筐体へ上記ハードディスクドライブユニットを挿入したときに上記電源スイッチを押圧するスイッチ押圧ピンを設けたことを特徴とするディスクドライブ装置。
【請求項２】
上記スイッチ押圧ピンは、基端部が上記ハードディスクドライブユニットの被固定部に固着されていて、
上記筐体にハードディスクドライブユニットを挿入して上記被固定部を上記固定部に重ね合わせたときに上記スイッチ押圧ピンの先端部で上記電源スイッチを押圧して電源をＯＮし、上記筐体からハードディスクドライブユニットを引き抜いたときに上記スイッチ押圧ピンの先端部による上記電源スイッチの押圧が解除されて電源がＯＦＦすることを特徴とする請求項１に記載のディスクドライブ装置。
【請求項３】
複数のハードディスクドライブユニットを筺体に挿入し、該筐体に設けた固定部に上記ハードディスクドライブユニットに設けた被固定部を重ね合わせて、これら固定部と被固定部を摘みネジで固定し、ソフトミラー方式で上記複数のハードディスクドライブユニットによりミラーリングを行うディスクドライブ装置において、
上記筐体は、押された状態でＯＮ状態となる電源スイッチを備え、
上記摘みネジは、上記被固定部の表面に重ね合わせる締付プレートに取付けられ、
上記スイッチ押圧ピンは、上記被固定部に設けたピン挿入孔に移動可能に挿入した状態で基端側が上記締付プレートに固着され、先端側に取り付けた抜け防止部材により上記ピン挿入孔からの抜けを防止されていると共に、該被固定部と上記締付プレートとの間に該締付プレートを上記被固定部から離間させる方向に付勢するスプリングを介在させることにより、上記被固定部を上記固定部に重ね合わせて上記摘みネジを上記固定部に螺合すると上記締付プレートを介して上記スプリングが圧縮されて上記スイッチ押圧ピンが突出して上記スイッチ押圧ピンの先端部で上記電源スイッチを押圧して電源をＯＮし、上記摘みネジと上記固定部との螺合を解除すると上記スプリングの復元力により上記締付プレートが上記固定部から離されて上記電源スイッチの押圧が解除されて電源をＯＦＦすることを特徴とするディスクドライブ装置。
【発明の詳細な説明】
【技術分野】
【０００１】
本発明は、筐体に複数のハードディスクドライブユニット（以後、ＨＤＤユニットと称する）を挿入し、これらＨＤＤユニットに設けた被固定部を上記筐体に設けた固定部に重ね合わせて摘みネジで固定し、ソフトミラー方式で、これら複数のＨＤＤユニットによりミラーリングを行うディスクドライブ装置に関するもので、故障等の発生によりＨＤＤユニットを筐体から抜き出す際に、簡単な構成で確実にＨＤＤユニットの電源を切ることができるようにしたものである。
【背景技術】
【０００２】
産業用のコンピュータ等で使用されるディスクドライブ装置においては、装置の故障によるシステムダウンやデータの喪失を防止するために、データを重複化するミラーリングが採用されている。ミラーリング方式としては、ハードミラー方式とソフトミラー方式が知られている。
【０００３】
図１２に示すように、ハードミラー方式は、ＨＤＤユニットの再構築や電源供給のＯＮ／ＯＦＦ制御／信号制御等を行うプリント基板（以後、ミラーカードと称する）１０１を使用し、ＨＤＤユニット１０２，１０３の何れかが故障した場合には、ＬＥＤによりエラーを表示して、ＨＤＤユニットの着脱を可能にする。なお、ＨＤＤユニット１０２，１０３は、筐体１０４に収容されている。ミラーカード１０１は、筐体１０４の外面に配置されている。１０５はディスクドライブ装置のキャビネットである。
【０００４】
ＨＤＤユニット１０２，１０３には、フロントパネル１０６が設けられている。フロントパネル１０６の上下端には上下一対の被固定部１０７が設けられている。そして、ＨＤＤユニット１０２，１０３を筐体１０４内に挿入すると、被固定部１０７が筐体１０４に設けた上下一対の固定部１０８，１０８に重なり、摘みネジ１０９でネジ止めすることによって、筐体１０４に複数のＨＤＤユニット１０２，１０３を取り付ける構成になっている。（例えば、特許文献１、特許文献２参照）
また、ソフトミラー方式は、ＣＰＵのチップセットで制御する方式で、図１３に示すように、キースイッチ１１０を使用している。キースイッチ１１０は、ＯＦＦ状態では、図１４に示すように、ピン１１１をＨＤＤユニット１０２，１０３の上面に設けた引っ掛け穴１１２及び筐体１０４の上面に設けた引っ掛け穴１１３から外れてＨＤＤユニット１０２，１０３を筐体１０４から引き出すことを可能にする。また、ＯＮ状態では、図１５に示すように、ピン１１１を筐体１０４の上面に設けた引っ掛け穴１１３を介してＨＤＤユニット１０２，１０３の上面に設けた引っ掛け穴１１２に入っていてＨＤＤユニット１０２，１０３を筐体１０４から引き出すことを不可能にしている。（例えば、特許文献３参照）
【特許文献１】特開２００７−４８８５号公報
【特許文献２】特開２００５−３０１７６９号公報
【特許文献３】特開２００４−１７１１７１号公報
【発明の開示】
【発明が解決しようとする課題】
【０００５】
ところで、ハードミラー方式は、ミラーカード１０１を使用するので、その分、部品点数が増え、コストが高くなると共に、ミラーカード１０１を実装するスペースが必要となるため、製品サイズが大きくなり、小型化するのが困難になるという問題点があった。
【０００６】
また、ソフトミラー方式は、キースイッチ１１０を使用しており、市販のキースイッチ１１０は、接点端子部が銀メッキのものが多く、最小適用負荷が小さいものが多い。産業向けの場合は、悪環境の下で使用される場合が多々あるので、銀メッキでは腐食して安定したＯＮ／ＯＦＦができなくなる場合がある。（産業用は２４時間運転が多いので品質、性能が安定していることが特に重要である）。そのため、接点端子部を金メッキに変えることも考えられるが、特別仕様となり、購入ロットも多くなるためコストアップの要因になる。
【０００７】
また、摘みネジ１０９によるネジ止め作業の他に、キースイッチ１１０のＯＮ／ＯＦＦ作業が必要となり、筐体１０４へのＨＤＤユニット１０２，１０３の着脱作業が煩雑になる。
【０００８】
本願発明の目的は、コストが高く、しかも実装スペースを多く必要とするミラーカードやコストが高く操作にキーを使用するキースイッチを使用せずに、筐体からＨＤＤユニットを引き抜いたときに電源を自動的にＯＦＦすることのできるディスクドライブ装置を提供することにある。
【課題を解決するための手段】
【０００９】
請求項１の発明は、複数のハードディスクドライブユニットを筺体に挿入し、該筐体に設けた固定部に上記ハードディスクドライブユニットに設けた被固定部を重ね合わせて、これら固定部と被固定部を摘みネジで固定し、ソフトミラー方式で上記複数のハードディスクドライブユニットによりミラーリングを行うソフトミラー方式のディスクドライブ装置において、
上記筐体に押された状態でＯＮ状態となる電源スイッチを設け、ハードディスクドライブユニットに、上記筐体へ上記ハードディスクドライブユニットを挿入したときに上記電源スイッチを押圧解除するスイッチ押圧ピンを設けた。
【００１０】
請求項２の発明は、請求項１に記載のディスクドライブ装置において、
上記スイッチ押圧ピンの一端側を、上記ハードディスクドライブユニットの被固定部に固着し、上記筐体にハードディスクドライブユニットを挿入して上記被固定部を上記固定部に重ね合わせたときに上記スイッチ押圧ピンの先端部で上記電源スイッチを押圧して電源をＯＮし、上記筐体からハードディスクドライブユニットを引き抜いたときに上記スイッチ押圧ピンの先端部による上記電源スイッチの押圧が解除されて電源がＯＦＦする構成にした。
【００１１】
請求項３の発明は、複数のハードディスクドライブユニットを筺体に挿入し、該筐体に設けた固定部に上記ハードディスクドライブユニットに設けた被固定部を重ね合わせて、これら固定部と被固定部を摘みネジで固定し、ソフトミラー方式で上記複数のハードディスクドライブユニットによりミラーリングを行うディスクドライブ装置において、
上記筐体に、押された状態でＯＮ状態となる電源スイッチを設け、上記摘みネジを、上記被固定部の表面に重ね合わせる締付プレートに取付け、上記スイッチ押圧ピンを、上記被固定部に設けたピン挿入孔に移動可能に挿入した状態で基端側を上記締付プレートに固着し、先端側に取り付けた抜け防止部材により上記ピン挿入孔からの抜けを防止すると共に、該被固定部と上記締付プレートとの間に該締付プレートを上記被固定部から離間させる方向に付勢するスプリングを介在させ、上記被固定部を上記固定部に重ね合わせて上記摘みネジを上記固定部に螺合すると上記締付プレートを介して上記スプリングが圧縮されて上記スイッチ押圧ピンが突出して上記スイッチ押圧ピンの先端部で上記電源スイッチを押圧して電源をＯＮし、上記摘みネジと上記固定部との螺合を解除すると上記スプリングの復元力により上記締付プレートが上記固定部から離されて上記電源スイッチの押圧が解除されて電源をＯＦＦする構成にした。
【発明の効果】
【００１２】
（１）請求項１のディスクドライブ装置は、ＨＤＤユニットを筐体に挿入するとスイッチ押圧ピンが電源スイッチを押圧して電源スイッチは自動的にＯＮ状態になる。摘みネジを外して、筐体からＨＤＤユニットを引き抜くと、スイッチ押圧ピンによる電源スイッチの押圧が解除されて、電源スイッチは自動的にＯＦＦ状態になる。
（２）請求項２のディスクドライブ装置は、筐体にＨＤＤユニットを挿入すると、ＨＤＤユニットに設けたスイッチ押圧ピンで電源スイッチが押圧されて、電源スイッチは自動的にＯＮ状態になる。これとは逆に、筐体からＨＤＤユニットを引き抜くと、スイッチ押圧ピンによる電源スイッチの押圧が解除されて、電源スイッチは自動的にＯＦＦ状態になる。
（３）請求項３のディスクドライブ装置は、上記筐体にＨＤＤユニットを挿入して上記被固定部を上記固定部に重ね合わせることにより、ＨＤＤユニットをケーブルに接続する。その後、上記スプリングを圧縮しながらスイッチ押圧ピンを電源スイッチ側に移動させて行くことによって、上記スイッチ押圧ピンで上記電源スイッチを押圧して電源をＯＮすることができ、ＨＤＤユニットのケーブル接続と電源供給のＯＮ制御に時間差を持たせることができる。また、これとは逆に、摘みネジを外すと、上記スプリングのバネ力でスイッチ押圧ピンが電源スイッチから離間する方向に移動して該電源スイッチの押圧が解除されて、電源スイッチは自動的にＯＦＦ状態になり、その後、上記筐体からＨＤＤユニットを引き抜くことによりケーブルを非接続状態にすることができ、ＨＤＤユニットの電源供給のＯＦＦとケーブル接続のＯＦＦとに時間差を持たせることができる。
【発明を実施するための最良の形態】
【００１３】
図１〜図３は、第１実施形態を示す。図１はＨＤＤユニットおよび該ＨＤＤユニットを収納する筐体の斜視図、図２はＨＤＤユニットを筐体に不完全に挿入した状態の側面図、図３はＨＤＤユニットを筐体に完全に挿入した状態の側面図である。
【００１４】
図１に示すように、ＨＤＤユニット１は、ハードディスクドライブ（以下、ＨＤＤと称する）２と、該ＨＤＤ２の外面に取り付けられたブラケット３と、を備えている。上記ブラケット３の一側面には多数の放熱用のスリット４を設けたフロントパネル５が取り付けられている。
【００１５】
上記ＨＤＤユニット１は、筐体６内に２個収容されてハードディスクドライブ装置７が構成されている。
【００１６】
図２に示すように、上記フロントパネル５は、上下端部に上記ＨＤＤユニット１の上，下面１ａ，１ｂよりも外側に突出する上下一対の被固定部１１を備えている。
【００１７】
上記被固定部１１は、ＨＤＤユニット１を筐体６に挿入したときに、次に説明する筐体２の固定部２２に重なり合う。上部の被固定部１１は、摘みネジ１２と、スイッチ押圧ピン１３と、を備えている。
【００１８】
上記摘みネジ１２は、摘み部１２ａを上記被固定部１１の外面側に位置させ、ネジ部（螺旋部）１２ｂを上記被固定部１１の内面側に突出させた状態で該被固定部１１に回転可能に取り付けられている。また、上記スイッチ押圧ピン１３は、一端側を被固定部１１に設けたピン植立孔２３に圧入することにより被固定部１１に植立されている。
【００１９】
上記被固定部１１を上記筐体６の固定部２２に重ね合わせることにより、上記摘みネジ１２のネジ部（螺旋部）１２ｂの先端が上記被固定部１１に設けたネジ孔２４（図１参照）に位置し、上記摘みネジ１２によって上記被固定部１１の上記固定部２２への締着けが可能になる。
【００２０】
図１に示すように、上記筐体６は、直方体形状に形成されている。上記筐体６は、前面側が開口部２１となっていて、該開口部２１からＨＤＤユニット１を２個挿入可能になっている。上記開口部２１の上下端には、挿入したＨＤＤユニット１の被固定部１１が重なる固定部２２が設けられている。
【００２１】
上記固定部２２は、上記摘みネジ１２が螺合するネジ孔２４と、上記スイッチ押圧ピン１３が挿通するピン挿入孔２５を備えている。
【００２２】
また、上記筐体６は、上記固定部２２に対向する位置に、上記スイッチ押圧ピン１３で押圧された状態でＯＮとなる小型のスイッチ（以下、電源スイッチ）３１を備えている。
【００２３】
第１実施形態のディスクドライブ装置は上述のような構成であって、上記筐体２の開口部２１からＨＤＤユニット１を挿入する。そして、上記ＨＤＤユニット１の被固定部１１に設けた摘みネジ１２とスイッチ押圧ピン１３がそれぞれ上記固定部２２に設けたネジ孔２４とピン挿入孔２５に挿入する。更に、ＨＤＤユニット１を挿入すると、スイッチ押圧ピン１３の先端で上記電源スイッチ３１の被押圧部３１ａが押圧されてＯＮされると共に、被固定部１１が固定部２２に接触して、ＨＤＤユニット１は、筐体６内に完全に収納された状態になる。そこで、上記摘みネジ１２で上記被固定部１１を上記固定部２２に締付けることにより、ＨＤＤユニット１は、筐体６内に収納された状態に維持され、ケーブルに接続されると共に、電源スイッチ３１の被押圧部３１ａは、スイッチ押圧ピン１３の先端で押圧されて、電源スイッチ３１はＯＮとなる。
【００２４】
なお、上述の状態から摘みネジ１２を緩めてＨＤＤユニット１を筐体６から引き出すと、スイッチ押圧ピン１３による電源スイッチ３１の被操作部３１ａの押圧が解除されて、電源スイッチ３１は、電源スイッチ３１はＯＦＦになる。
【００２５】
図４〜図１１は、第２実施形態を示す。第２実施形態においては、ＨＤＤユニット１を筐体６内に挿入してＨＤＤユニット１の被固定部１１を筐体６の固定部１２に接触させただけでは電源スイッチ３１はＯＮされずに、摘みネジで上記被固定部１１を上記固定部２２に締着けることにより初めてスイッチ押圧ピンで電源スイッチ３１の被押圧部３１ａを押圧する構成にすると共に、摘みネジを緩めてＨＤＤユニット１を筐体６から引き出せば、即座にスイッチ押圧ピンによる電源スイッチ３１の被押圧部３１ａの押圧が解除されて該電源スイッチ３１は、自動的にＯＦＦ状態になるように構成した場合を示す。図４は摘みネジとスイッチ押圧ピンを取付けた締付プレートを被固定部から取り外した状態の斜視図、図５は締付プレート部分の拡大図、図６は締付プレートを被固定部に取付けた状態の斜視図、図７は図６の側面図、図８は被固定部を固定部に接触させた状態の斜視図、図９は図８の側面図、図１０は摘みネジで被固定部を固定部に締着けた状態の斜視図、図１１は図１０の側面図である。
【００２６】
第２実施形態において、上部の摘みネジ４１と一対のスイッチ押圧ピン４２は、ＨＤＤユニット１と別体の小さい締付プレート４３に取付けられている。上記摘みネジ４１は、摘み部４１ａを上記締付プレート４３の外面側に位置させ、ネジ部（螺旋部）４１ｂを上記締付プレート４３の内面側に突出させた状態で該締付プレート４３に回転可能に取り付けられている。また、上記スイッチ押圧ピン４２は、一端側を上記締付プレート４３に設けたピン植立孔４４に圧入することにより締付プレート４３に植立されている。
【００２７】
上記スイッチ押圧ピン４２は、上記被固定部１１に設けたピン挿入孔４５にスライド可能に挿入されている。上記スイッチ押圧ピン４２の先端には上記ピン挿入孔４５よりも大径の頭部４６ａを有するネジ４６が抜け防止部材として取付けられ、上記スイッチ押圧ピン４２が上記ピン挿入孔４５から抜け出るのを防止している。上記被固定部１１には、上記摘みネジ４１のネジ部４１ｂを挿入するネジ挿入孔４７が設けられている。上記スイッチ押圧ピン４２の外周には、コイルスプリング４８が取付けられている。
【００２８】
図６，図７に示すように、上記コイルスプリング４８は、上記被固定部１１と上記締付プレート４３の間に圧縮された状態で介在されていて、上記ネジ４６の頭部４６ａの下面部を上記被固定部１１に接触させている。なお、上記被固定部１１には、上記ネジ４６が取付けられたスイッチ押圧ピン４２を挿入する上記ネジ４６の頭部４６ａよりも大径のピン挿入孔４９と、上記摘みネジ４１のネジ部４１ｂを螺合するネジ孔５０が設けられている。
【００２９】
上記摘みネジ４１は、上記ネジ挿入孔４７を介して上記固定部２２に設けたネジ孔２４に螺合される。また、上記ピン挿入孔４９を介して上記固定部２２の内側に挿入されてきた上記一対のスイッチ押圧ピン４２のうちの一方のスイッチ押圧ピン４２によって上記筐体６に設けた電源スイッチ３１の被押圧部３１ａが押圧される。なお、その他の構成は、第１実施形態の場合と同じであるので重複する説明は省略する。
【００３０】
第２実施形態のディスクドライブ装置は上述のような構成であって、ＨＤＤユニット１を筐体６内に挿入すると、図８，図９に示すように、ＨＤＤユニット１の被固定部１１が筐体６の固定部１２に接触して、ＨＤＤユニット１が筐体６内に収納された状態になる。しかし、この状態においては、スイッチ押圧ピン４２の先端（ネジ４６）は、未だ電源スイッチ３１の位置に到達せず、電源スイッチ３１の被押圧部３１ａを押圧していない。この状態から、上記締付プレート４３を被固定部１１に向けてプッシュすると、締付プレート４３は、コイルスプリング４８を圧縮しながら、被固定部１１側に向かって移動して行って、図１０，図１１に示すように、上記一対のスイッチ押圧ピン４２の内の一方のスイッチ押圧ピン４２の先端で電源スイッチ３１の被押圧部３１ａを押圧すると共に、摘みネジ４１のネジ部４１ｂが上記固定部１２に設けたネジ孔５０と合致した状態になる。従って、上記摘みネジ４１を回すことによって被固定部１１と固定部１２を締着し、ＨＤＤユニット１を位置決め固定することができる。また、図１０，図１１に示す状態から、上記摘みネジ４１を緩めて上記ネジ孔５０から抜き出すと、上記コイルスプリング４８が伸張して、図８，図９に示すように、上記締付プレート４３が被固定部１１から離間する方向に移動して、スイッチ押圧ピン４２による電源スイッチ３１の押圧が解除されて、電源スイッチ３１は、ＯＦＦ状態になる。
【００３１】
第２実施形態のディスクドライブ装置によれば、ケーブル接続と電源スイッチ３１のＯＮ制御に時間差をもたせ、ＨＤＤユニット１を筐体６内に挿入した状態でケーブル接続を行い、摘みネジ４１の締め付けによって、電源スイッチ３１のＯＮを行うことが可能になる。
【図面の簡単な説明】
【００３２】
【図１】ＨＤＤユニットと、該ＨＤＤユニットを収納する筐体の斜視図。
【図２】ＨＤＤユニットを筐体に不完全に挿入した状態の側面図。
【図３】ＨＤＤユニットを筐体に完全に挿入した状態の側面図。
【図４】摘みネジ及びスイッチ押圧ピンを取付けた締付プレートを被固定部から取り外した状態の斜視図。
【図５】締付プレート部分の拡大図。
【図６】締付プレートを被固定部に取付けた状態の斜視図。
【図７】図６の側面図。
【図８】被固定部を固定部に接触させた状態の斜視図。
【図９】図８の側面図。
【図１０】摘みネジで被固定部を固定部に締着けた状態の斜視図。
【図１１】図１０の側面図。
【図１２】従来例の斜視図。
【図１３】他の従来例の斜視図。
【図１４】キースイッチの斜視図（ロック状態）。
【図１５】キースイッチの斜視図（アンロック状態）。
【符号の説明】
【００３３】
１…ＨＤＤユニット
２…ＨＤＤ
３…ブラケット
５…フロントパネル
６…筐体
７…ディスクドライブ装置
１１…被固定部
１２、４１…摘みネジ
１２ａ…摘み部
１２ｂ…ネジ部（螺旋部）
１３、４２…スイッチ押圧ピン
２１…開口部
２２…固定部
２４…ネジ孔
２５、４５、４８…ピン挿入孔
３１…電源スイッチ
４３…締付プレート
４６…抜け防止部材としてのネジ
４６ａ…頭部
４７…ピン挿入孔
４７…コイルスプリング
４９…ピン挿入孔
５０…ネジ孔
【図１】
2009009666.tif 000003
【図２】
2009009666.tif 000004
【図３】
2009009666.tif 000005
【図４】
2009009666.tif 000006
【図５】
2009009666.tif 000007
【図６】
2009009666.tif 000008
【図７】
2009009666.tif 000009
【図８】
2009009666.tif 000010
【図９】
2009009666.tif 000011
【図１０】
2009009666.tif 000012
【図１１】
2009009666.tif 000013
【図１２】
2009009666.tif 000014
【図１３】
2009009666.tif 000015
【図１４】
2009009666.tif 000016
【図１５】
2009009666.tif 000017